(57)【要約】【課題】  接続関係の変更に柔軟に対応可能なフレキシブルプリント基板を提供する。【解決手段】  本発明に係るフレキシブルプリント基板Ｆは、フィルム状絶縁基材１と、フィルム状絶縁基材１の一端に形成される第１の端子３と、フィルム状絶縁基材１の他端に形成される第２の端子４と、フィルム状絶縁基材１に形成され、第１の端子３と第２の端子４を電気的に接続する導体パターン２と、導体パターン２の所定箇所を覆うフィルム状絶縁被覆６と、を備える。  第１の端子３および第２の端子４は、前記フィルム状絶縁基材１の両面に形成されると共に、フィルム状絶縁基材１を穿つスルーホール５を介して表裏の端子同士が導体パターン２で互いに電気的に接続されており、フィルム状絶縁被覆６によって、第１の端子３および第２の端子４の表裏の端子のいずれか一方の使用されない側を覆う。【選択図】  図２
2016046338.tif 000002
【特許請求の範囲】
【請求項１】
フィルム状絶縁基材と、
前記フィルム状絶縁基材の一端に形成される第１の端子と、前記フィルム状絶縁基材の他端に形成される第２の端子と、
前記フィルム状絶縁基材に形成され、前記第１の端子と前記第２の端子を電気的に接続する導体パターンと、
前記導体パターンの所定箇所を覆うフィルム状絶縁被覆と、
を備えたフレキシブルプリント基板であって、
前記第１の端子および前記第２の端子は、前記フィルム状絶縁基材の両面に形成されると共に、前記フィルム状絶縁基材を穿つスルーホールを介して表裏の端子同士が前記導体パターンで互いに電気的に接続され、
前記フィルム状絶縁被覆は、前記第１の端子および前記第２の端子の表裏の端子のいずれか一方を覆う
ことを特徴とするフレキシブルプリント基板。
【発明の詳細な説明】
【技術分野】
【０００１】
本発明は、フレキシブルプリント基板に関する。
【背景技術】
【０００２】
従来、例えば特許文献１に開示されるように、屈曲性に優れ配線の取り回しが良いフレキシブル回路基板が開示されている。
【先行技術文献】
【特許文献】
【０００３】
【特許文献１】特開２００５−３９０５２号公報
【発明の概要】
【発明が解決しようとする課題】
【０００４】
しかしながら、フレキシブルプリント基板によって接続される互いの回路基板の位置関係が設計変更されて変わってしまうと、予め設計したフレキシブルプリント基板では端子の接点方向が合わずフレキシブルプリント基板の取り回しができなくなってしまう場合があった。この場合、フレキシブルプリント基板を再設計する必要があり、設計者の作業負担が増大してしまう。
【０００５】
本発明は、上述した課題を鑑みてなされたものであり、接続関係の変更に柔軟に対応可能なフレキシブルプリント基板を提供することを目的とする。
【課題を解決するための手段】
【０００６】
本発明に係るフレキシブルプリント基板は、
フィルム状絶縁基材と、
前記フィルム状絶縁基材の一端に形成される第１の端子と、前記フィルム状絶縁基材の他端に形成される第２の端子と、
前記フィルム状絶縁基材に形成され、前記第１の端子と前記第２の端子を電気的に接続する導体パターンと、
前記導体パターンの所定箇所を覆うフィルム状絶縁被覆と、
を備えたフレキシブルプリント基板であって、
前記第１の端子および前記第２の端子は、前記フィルム状絶縁基材の両面に形成されると共に、前記フィルム状絶縁基材を穿つスルーホールを介して表裏の端子同士が前記導体パターンで互いに電気的に接続され、
前記フィルム状絶縁被覆は、前記第１の端子および前記第２の端子の表裏の端子のいずれか一方を覆う。
【発明の効果】
【０００７】
本発明によれば、接続関係の変更に柔軟に対応可能なフレキシブルプリント基板を提供できる。
【図面の簡単な説明】
【０００８】
【図１】本発明の第１実施形態に係るフレキシブルプリント基板の上面図、下面図、および、端部拡大図である。（ａ）が上面図であり、（ｂ）が下面図であり、（ｃ）が下面図における一端部拡大図であり、（ｄ）が下面図における他端部拡大図である。
【図２】本発明の第１実施形態に係るフレキシブルプリント基板のＡ−Ａにおける断面図である。
【図３】本発明の第１実施形態に係るフレキシブルプリント基板の回路基板への接続図である。
【図４】本発明の第２実施形態に係るフレキシブルプリント基板の回路基板への接続図である。
【発明を実施するための形態】
【０００９】
（第１実施形態）
以下、添付図面に基づいて、本発明の第１実施形態を説明する。
【００１０】
本発明に係るフレキシブルプリント基板Ｆは、フィルム状絶縁基材１に、導体パターン２と端子３，４を形成し、導体パターン２の所定箇所をフィルム状絶縁被覆６で覆って形成され、フレキシブルプリント基板Ｆの一端に形成された第１の端子３と、他端に形成された第２の端子４とを電気的に接続するものである。
【００１１】
フィルム状絶縁基材１は、例えばポリミイド等の電気絶縁性に優れた絶縁材料をフィルム状にしたものからなる。
【００１２】
フィルム状絶縁基材１の一端部には、表端子３ａと裏端子３ｂからなる第１の端子３が両面に形成されており、他端部には、表端子４ａと裏端子４ｂからなる第２の端子４が両面に形成されている。これら端子３，４は、例えば銅箔等に金メッキを施した導電性金属で構成する。
【００１３】
第１の端子３と第２の端子４とは、例えば銅箔等の導電性金属からなる導体パターン２によって電気的に接続される。導体パターン２は、フィルム状絶縁基材１の両面に形成されると共に、フィルム状絶縁基材１を穿ち表面がメッキ処理されたスルーホール５を介して表面と裏面に形成された導体パターン２同士を電気的に接続している。
【００１４】
これら導体パターン２、端子３，４，スルーホール５が形成されたフィルム状絶縁基材１を、例えばポリミイド等の電気絶縁性に優れた絶縁材料をフィルム状にした表絶縁被覆６ａと裏絶縁被覆６ｂからなるフィルム状絶縁被覆６で覆う。第１実施形態におけるフレキシブルプリント基板Ｆにおいては、第１の端子３の表端子３ａと第２の端子４の表端子４ａは表絶縁被覆６ａによって覆われ、裏端子３ｂ，４ｂは裏絶縁被覆６ｂは覆われず露出する。つまり、第１の端子３の表端子３ａと第２の端子４の表端子４ａはフィルム状絶縁被覆６で覆われるため、接続端子として使用されない。
【００１５】
当該フレキシブルプリント基板Ｆは、図３に示すようにコネクタＣ３を有する回路基板Ｃ同士を互いに電気的に接続するために用いられる。
回路基板Ｃは、硬質基材Ｃ１上に電気回路Ｃ２が実装されると共に、電気回路Ｃ２と電気的に接続している接点Ｃ３０を有するコネクタＣ３が実装されている。
回路基板Ｃ同士は、フレキシブルプリント基板Ｆの端子３，４をそれぞれコネクタＣ３に挿通して接点Ｃ３０に押圧して回路基板Ｃの電気回路Ｃ２同士を電気的に接続する。つまり、第１実施形態におけるフレキシブルプリント基板Ｆにおいては、第１の端子３の裏端子３ｂと第２の端子４の裏端子４ｂがそれぞれ回路基板Ｃの接点Ｃ３０に押圧されて回路基板Ｃの電気回路Ｃ２同士を電気的に接続する。
【００１６】
（第２実施形態）
次に、設計変更等によって図３に示した回路基板Ｃの一方の表裏の位置関係を逆にする場合において、第１実施形態におけるフレキシブルプリント基板Ｆの導体パターン２を再設計することなく、回路基板Ｃ同士を電気的に接続する第２実施形態を図４に基づいて説明する。
【００１７】
図３に示した回路基板Ｃの一方の表裏の位置関係を逆にする場合、第１実施形態におけるフレキシブルプリント基板Ｆのフィルム状絶縁被覆６で覆う箇所を変更するだけで良い。つまり、第１の端子３の表端子３ａを露出し第２の端子４の４ａを覆うように表絶縁被覆６ａを形成し、第１の端子４の裏端子３ｂを覆い第２の端子４の裏端子４ｂを露出するように裏絶縁被覆６ｂを形成する。
これにより、第１の端子３の表端子３ａと第２の端子４の裏端子４ｂがそれぞれ回路基板Ｃの接点Ｃ３０に押圧されることによって、回路基板Ｃの電気回路Ｃ２同士を電気的に接続することができる。
【００１８】
第１実施形態と第２実施形態のように構成することで、設計変更等によって、互いに裏面側に露出している第１の端子３と第２の端子４のどちらか一方を表面側で接続するように変更を余儀なくされた場合においても、フレキシブルプリント基板Ｆの導体パターン２を再設計することなく、フィルム状絶縁被覆６で覆う箇所を適宜変更するだけで対応が可能となる。
これにより、設計者の作業負荷を軽減する効果に加え、再設計に係る費用も低減することができる。
【００１９】
また、表面と裏面に形成された導体パターン２同士を電気的に接続するスルーホール５は、第１の端子３と第２の端子４とを電気的に接続するための導体パターン２を共通化するために、端子３，４に近い箇所に設けることが好ましい。
【００２０】
また、スルーホール５同士は、互いに近接して配置するために、フィルム状絶縁基材１の短手方向に互い違いに配置することが好ましい。
【００２１】
以上の説明では、本発明の理解を容易にするために、重要でない公知の技術的事項の説明を適宜省略した。
【符号の説明】
【００２２】
Ｆ    ：フレキシブルプリント基板
１    ：フィルム状絶縁基材
２    ：導体パターン
３    ：第１の端子
３ａ  ：表端子
３ｂ  ：裏端子
４    ：第２の端子
４ａ  ：表端子
４ｂ  ：裏端子
５    ：スルーホール
６    ：フィルム状絶縁被覆
６ａ  ：表絶縁被覆
６ｂ  ：裏絶縁被覆
【図１】
2016046338.tif 000003
【図２】
2016046338.tif 000004
【図３】
2016046338.tif 000005
【図４】
2016046338.tif 000006